(57)【要約】      （修正有）【課題】ＱＲコードを生成することにより動的な情報コンテンツをセキュリティを保持して遠隔供給、表示および／または提示するための装置を提供する。【解決手段】ＱＲコードの数を定めることと、ＵＲＬアドレスを生成することと、ＵＲＬアドレスリストと生成されたＵＲＬアドレスとを比較し、ＵＲＬアドレスの一義性を確認することと、ＱＲコードを生成することと、公認されたユーザーに、一義的なＵＲＬアドレスを割り当てることと、公認されたユーザーまたは一人以上のシステム管理者のみがロードし、動的に修正できる形で、コンテンツを利用可能とすることと、一人以上の受信ユーザーが、情報コンテンツにアクセスするかまたはそれを表示できるようにＵＲＬアドレスを構成することと、受信ユーザーが、ＱＲコードを取得し、ＵＲＬアドレスを復号化することとを提供する。【選択図】図１
0003223946.tif 000002
【実用新案登録請求の範囲】
【請求項１】
動的な情報コンテンツを表現するＱＲコード（登録商標）を生成することにより、動的な情報コンテンツの遠隔供給、表示または提示のためのシステムであり、
生成する一連のＱＲコードを定め、
インターネット上にｎ個のＵＲＬアドレスを生成し、
前記ＵＲＬアドレスの生成においてｍ回繰り返されるサイクルにより、ｍ個の長さの擬似ランダム英数字の文字列を生成し、前記サイクルは、乱数と前記文字列の長さｍとの割り算の余りを算出し、前記疑似ランダム英数字を見出すインジケータとして使用し、
ＵＲＬアドレスリストに格納されたＵＲＬアドレスと比較することにより、前記ｘ個の生成されたＵＲＬアドレスの各々の一義性を確認し、
ＵＲＬアドレスが一義的である場合、前記ＵＲＬアドレスリストを含むデータベースに格納され、カウンター変数ｘがｘ＝ｎ個となるまで増加され、そして少なくともセキュリティーＵＲＬアドレスの数が、生成される一連のＱＲコードの数ｎに対応するように、前記ｘ＝ｎ個の生成された、一義的であると確認されたＵＲＬアドレスをそれぞれコード化するｎ個のＱＲコードを生成し、
単一の特定の公認された、一つ以上の情報、テキストまたはマルチメディアコンテンツの供給ユーザーに、特定して生成された、一義的であるＵＲＬアドレスを割り当て、
前記公認されたユーザーのみ、または一人以上のシステム管理者のみによって、ロードされ動的に修正できるように、情報、テキストまたはマルチメディアコンテンツを利用可能とし、
一人以上の受信ユーザーが、前記供給ユーザーまたは前記システム管理者のみによって随時修正される前記情報コンテンツにアクセスするか、または表示できるように、前記生成され、割り当てられたＵＲＬアドレスを構成し、
前記一人以上の受信ユーザーが、光学的に前記ＱＲコードを取得し、前記コード化されたＵＲＬアドレスを復号化し、
前記ＱＲコードは、割り当てられた前記ＵＲＬアドレスの前記情報コンテンツに前記受信ユーザーを導き、そして前記情報コンテンツおよび前記供給ユーザーまたは前記システム管理者のみによって、随時修正される動的な前記情報コンテンツにアクセスするかまたは表示し、
前記各ＱＲコードのための少なくとも一つの一義的なセキュリティーコードが生成され、前記一義的なセキュリティーコードは、前記ＱＲコードとともに、または、前記ＱＲコードとは別に、前記受信ユーザーに、暗号化されずに提供され、前記ＵＲＬアドレスの前記情報コンテンツへのアクセスまたは表示のために、前記受信ユーザーから要求され、
情報、テキストまたはマルチメディアコンテンツを追加、修正または削除するために、前記ＱＲコードを復号化することにより参照される前記ＵＲＬアドレスに対応するウェブページにおいて、前記ＱＲコードの前記受信ユーザーではなく、前記供給ユーザーまたは前記システム管理者のみが、コンピューターサーバーシステムへの認証を介することによりアクセス可能な、コンテンツ管理システム（ＣＭＳ）を実施し、前記コンピューターサーバーシステムを用いて、前記ＵＲＬアドレスに関連する前記コンテンツを修正し、
前記ＵＲＬアドレスに関連する前記ウェブページのコンテンツを修正するために、与えられたＱＲコードによってコード化されたＵＲＬアドレスに関連付けられた前記情報コンテンツを編集する修正許可は、前記ＱＲコードの前記供給ユーザーのみまたは前記システム管理者のみに割り当てられ、
一方、前記ＱＲコードの前記受信ユーザーは、前記ＵＲＬアドレスに関連付けられた前記ウェブページの前記情報コンテンツを修正することができないことを特徴とするシステム。
【請求項２】
前記供給ユーザーのみによるロードおよび動的な修正サービスへの登録と、
登録された前記供給ユーザーのみによる、ＵＲＬアドレスの一義的に割り当てと同時に、サービスにアクセスするための認証とを提供することを特徴とする請求項１記載のシステム。
【請求項３】
前記文字列の最初の文字は、前記文字列の作成時の時間の関数であることを特徴とする請求項１または２記載のシステム。
【請求項４】
前記ＱＲコードを生成して、ベクトルグラフィックス形式で格納することを特徴とする、請求項１乃至３のいずれか１項記載のシステム。
【請求項５】
前記ＱＲコードの復号化されたデータは、先に生成された前記ＵＲＬアドレスに対応し、そして暗号化されていない割り当てられたデータは、生成されたセキュリティコードに対応することを特徴とする請求項１乃至４のいずれか１項記載のシステム。
【請求項６】
前記供給ユーザーまたはシステム管理者のみが、コンテンツ管理システム（ＣＭＳ）により特定のＵＲＬアドレスに関連付けられた前記情報コンテンツを動的に修正することを特徴とする請求項１乃至５のいずれか１項記載のシステム。
【請求項７】
ＱＲコードのアクティベート、登録および認証の一般的な手順が、
最初にデフォルトでは、先に生成された前記ＱＲコードおよび対応する前記ＵＲＬアドレスと、割り当て可能なセキュリティコードは、どのユーザーに関する情報とも関連づけされておらず、
前記ＱＲコードを読み込むためのソフトウェアを備え、データ通信能力およびインターネット接続を有する電子装置を用いて、前記ＱＲコードをスキャンして、前記ＵＲＬアドレスを復号化して、対応するインターネットブラウザおよび前記コンピューターサーバーシステム上のアドレス指定を行うことを含み、
一旦、前記ＵＲＬアドレスへの前記アドレス指定の要求を受信すると、マッチング手順を用いて、訪問されるのと同じＵＲＬアドレスが、前記コンピューターサーバーシステムによって実際に生成され、割り当てられたことを確認し、
もし前記ＱＲコードが既に割り当てられている場合には、関連付けられている前記ＵＲＬアドレスの前記コンテンツが表示され、
一方、もし前記ＱＲコードが未だ割り当てられていない場合、前記ユーザーが、既に登録されているか否かが確認され、そして肯定の場合、その認証および可能なセキュリティコードの書き込みへと進み、
一方、前記ユーザーが登録されていない場合、前記可能なセキュリティーコードの登録および書き込みを実行し、その後、前記アクティベート、登録および認証手順が終了となることを特徴とする請求項１乃至６のいずれか１項記載のシステム。
【請求項８】
前記ＵＲＬアドレスが前記コンピューターサーバーシステムの前記データベースに存在する場合、受信ユーザーに前記ＵＲＬアドレスを一義的に割り当てる手順が起動され、前記受信ユーザーにより、前記ＱＲコードに関連付けられた前記可能なセキュリティーコードが書き込まれることを特徴とする請求項７記載のシステム。
【請求項９】
受信ユーザーのＱＲコードの割り当ておよび読み込みを提供するシステムであり、
スキャンされた前記ＱＲコードに含まれる前記ＵＲＬアドレスを復号化するためのオンラインシステムを準備し、
前記オンラインシステムは、スキャンされた前記ＱＲコードに含まれる前記ＵＲＬアドレスが、前記データベース中に実際存在するかどうか確認し、
そして、前記ＵＲＬアドレスが存在しない場合、エラー画面が表示され、
そうでなければ受信ユーザーへ前記ＱＲコードの割り当てを制御し、
前記ＱＲコードが既に受信ユーザーに割り当てられている場合、前ＱＲコードに含まれる前記ＵＲＬアドレスに対応する前記コンテンツを供給または表示し、
そうでなければ、前記ＱＲコードが割り当てられていないことを認識し、その結果登録が確認され、次に生じ得るユーザー登録ステップか、または登録済みユーザーのため、
前記ユーザーへの前記ＱＲコードの割り当てを続行するためにユーザー認証が行われ、そして前記受信ユーザーは対応する前記可能なセキュリティーコードを書き込むことを特徴とする請求項７項記載のシステム。
【請求項１０】
前記供給ユーザーまたは前記システム管理者のみによって修正可能な前記情報コンテンツは、テキストまたはマルチメディアコンテンツの形態であり、
特に、以下の操作
１）テキストメッセージの追加／修正／削除
２）画像の追加／修正／削除
３）動画の追加／修正／削除
４）オーディオの追加／修正／削除
５）上記１〜４の組合せ
の一つ以上が可能なことを特徴とする請求項１乃至９のいずれか１項記載のシステム。
【請求項１１】
前記ウェブページに関連付け可能な前記情報コンテンツの性質に、自動学習能力を有するソフトウェアフィルタが使用できることを特徴とする請求項１乃至１０のいずれか１項記載のシステム。
【請求項１２】
前記供給ユーザーによって、前記コンテンツが編集され、
ＱＲコードリーダーを用いて前記ＱＲコードをスキャンした後に、前記ユーザーの認証がリクエストされ、前記認証により、前記供給ユーザーを前記コンテンツ管理システム（ＣＭＳ）にアクセスさせ、前記ＱＲコードにコード化され、前記ＵＲＬアドレスに存在する情報コンテンツ、テキスト、マルチメディアデータを追加、修正、削除することを特徴とする請求項１乃至１１のいずれか１項記載のシステム。
【請求項１３】
編集者、もしくは公認されたサービス供給者、またはシステム管理者によって前記コンテンツは編集され、予約された証明によってアクセスが管理された予約領域がオンラインで設けられ、
認証ステップが実行され、それに続いて、コンテンツ管理システム（ＣＭＳ）により前記ＱＲコードに含まれる前記ＵＲＬアドレスに存在する前記マルチメディアデータの修正および削除ステップが実行されることを特徴とする請求項１２記載のシステム。
【請求項１４】
前記ＱＲコードリーダーを用いて前記ＱＲコードをスキャンした後、前記ＱＲコードに含まれる前記ＵＲＬアドレスを復号化し、そして、スキャンされたＱＲコードにより参照される前記ＵＲＬアドレスに対応する前記マルチメディアコンテンツが出力に復元されることを特徴とする請求項１２記載のシステム。
【請求項１５】
前記供給ユーザーまたは公認されたオペレーターまたは前記システム管理者によって機密データのコンテンツが読み取りおよび編集し、
ＱＲコードリーダーによりスキャンされた前記ＱＲコードに含まれる前記ＵＲＬアドレスを復号化するオンラインシステムが準備され、
前記オンラインシステムは、リーダーによりスキャンされた前記ＱＲコードに含まれる前記ＵＲＬアドレスが、前記データベースの中に実際に存在するかどうかを確認し、
そして、前記ＵＲＬアドレスが存在しない場合、エラー画面を表示し、
一方、リーダーによりスキャンされた前記ＱＲコードに含まれる前記ＵＲＬアドレスが存在する場合、一旦認証が行われ、サービスにアクセスするユーザーが前記コンテンツを編集できるオペレーターであるかどうかを確認し、
前記ユーザーが、標準ユーザーである場合、前記ＵＲＬアドレスの前記マルチメディアコンテンツは、表示のみ行い、
前記ユーザーが、前記公認されたオペレータまたは前記システム管理者である場合、前記コンテンツを表示だけでなく、コンテンツ管理システム（ＣＭＳ）を用い編集も可能とすることを特徴とする請求項１乃至１４のいずれか１項記載のシステム。
【請求項１６】
インターネット上にＵＲＬアドレスを生成して、ＱＲコードに割り当て、
前記情報コンテンツは、動的であり、データベースに保存可能であり、前記情報コンテンツのＱＲコードおよびアドレスを受信する受信ユーザーではなく、前記情報コンテンツを供給するユーザーまたはシステム管理者のみが、前記コンテンツ管理システム（ＣＭＳ）を使用して、望み通りに修正／編集することができ、そして、前記受信ユーザーは、前記情報コンテンツを変更または統合させることができず、使用しかできず、
前記受信ユーザーは、動的な前記情報コンテンツの遠隔供給、表示および／または提示において、ＱＲコードを読み込んで対応するＵＲＬにアクセスすることを除いては、受動的役割を果たし、
前記受信ユーザーは、前記情報コンテンツの目的または対象だけを表示し、それを変更または修正することができないことを特徴とする請求項１５記載のシステム。
【請求項１７】
情報コンテンツを有するＱＲコードを生成することにより、前記情報コンテンツの遠隔供給、表示または提示する装置が、
コンピューターサーバーシステム（１６０）と一つ以上の携帯用の電子テレコミュニケーションデバイス（１７０）と一つ以上のユーザーインターフェース（１９０）とを備え、
１）前記コンピューターサーバーシステム（１６０）は、
生成する一連のＱＲコードの数を定め、
インターネット上にｎ個のＵＲＬアドレスを生成し、
前記ＵＲＬアドレスを生成するステップにおいて、ｍ回繰り返されるサイクルにより、ｍ個の長さの擬似ランダム英数字の文字列を生成し、
前記サイクルは、乱数と前記文字列の長さｍとの割り算の余りを算出し、前記疑似ランダム英数字を見出すインジケータとして使用し、
ＵＲＬアドレスリストに格納されたＵＲＬアドレスと比較することにより、生成された前記ｘ個のＵＲＬアドレスのそれぞれの一義性を確認し、
生成され、一義性が確認されたｎ個のＵＲＬアドレスをそれそれコード化し、ｎ個のＱＲコードを生成し、
ＵＲＬアドレスが一義的である場合、前記ＵＲＬアドレスリストを含むデータベースに格納され、カウンター変数ｘはｘ＝ｎとなるまで増加され、そして少なくともセキュリティーＵＲＬアドレスの数は、生成される一連のＱＲコードの数ｎに対応し、
一つ以上の情報、テキストまたはマルチメディアコンテンツの、単一の特定の公認された供給ユーザーに、特定して生成され、一義的なＵＲＬアドレスを割り当て、
特定の公認された前記供給ユーザーまたは一人以上のシステム管理者のみによって、ロードし動的に修正できる形で、情報、テキストまたはマルチメディアコンテンツを利用可能とし、
前記生成され、割り当てられたＵＲＬアドレスは、一人以上の受信ユーザーが、前記情報コンテンツおよび前記供給ユーザーまたはシステム管理者のみが、随時修正する前記情報コンテンツにアクセスするか、またはそれを表示し、
前記各ＱＲコードのための少なくとも一つの一義的なセキュリティーコードが生成され、前記一義的なセキュリティーコードは、前記ＱＲコードとともに、または、前記ＱＲコードとは別に、前記受信ユーザーに、暗号化されずに提供され、前記ＵＲＬアドレスの前記情報コンテンツへのアクセスまたは表示のために、前記受信ユーザーから要求され、
情報、テキストまたはマルチメディアコンテンツを追加、修正または削除するために、前記ＱＲコードを復号化することにより参照される前記ＵＲＬアドレスに対応するウェブページにおいて、前記ＱＲコードの前記受信ユーザーではなく、前記供給ユーザーまたは前記システム管理者のみが、前記コンピューターサーバーシステムへの認証を介することによりアクセス可能な、コンテンツ管理システム（ＣＭＳ）を実施し、前記ＵＲＬアドレスに関連する前記コンテンツを修正し、
前記ＵＲＬアドレスに関連する前記ウェブページのコンテンツを修正するために、与えられたＱＲコードによってコード化されたＵＲＬアドレスに関連付けられた前記情報コンテンツを編集する修正許可は、前記ＱＲコードの前記供給ユーザーのみまたは前記システム管理者のみに割り当てられ、
一方、前記ＱＲコードの前記受信ユーザーは、前記ＵＲＬアドレスに関連付けられた前記ウェブページの前記情報コンテンツを修正することができない
よう構成されており、
２）一つ以上の前記携帯用の電子テレコミュニケーションデバイス（１７０）は、
一人以上の前記受信ユーザーが、光学的にＱＲコードを取得し、コード化されたＵＲＬアドレスを復号化し、
前記受信ユーザーを、コンピューターサーバーシステム（１６０）によって利用可能となる割り当てられた前記ＵＲＬアドレスの前記情報コンテンツに導き、前記情報コンテンツおよび前記供給ユーザーまたは前記システム管理者のみが随時修正する前記情報コンテンツにアクセスするか、またはそれを表示するように
構成され
３）一つ以上の前記ユーザーインターフェース（１９０）は、
コンピューターサーバーシステム（１６０）にアクセスし、前記供給ユーザーまたは前記システム管理者のみによって、前記情報コンテンツがロードされ動的に修正されるように構成された
ことを特徴とする装置。  
【請求項１８】
コンピュータにより読み込み可能な手段に格納可能なコンピュータープログラムであり、
一旦請求項１７記載の装置（１５０）により実行されると、請求項１乃至１６のいずれか１項記載のシステムの実行を確定する指示を含むことを特徴とするコンピュータープログラム。
【請求項１９】
請求項１乃至１６のいずれか１項に記載のＱＲコードを備えることを特徴とする装置。
【考案の詳細な説明】
【技術分野】
【０００１】
本考案は、動的なコンテンツについてのＱＲコード（登録商標）を生成することによって、動的有益コンテンツを遠隔供給、表示および／または提示するためのシステムおよび装置に関する。 特に、本考案は、実環境で示されるＱＲコードをスキャンすることにより、コンピューターまたは通信網を介する、データ処理、および動的なテキストまたはマルチメディアの情報を受信する分野に関する。
【背景技術】
【０００２】
一次元（１−Ｄ）および二次元（２−Ｄ）バーコードは公知であり、それは特定のシンボルのセットにより形成される。
特に、二次元のコードは、一次元のバーコードと比較して大量の情報を記憶することができる。携帯型スマートフォンまたはその類のもの、例えばタブレットやファブレット、が広く普及しているため、市場では二次元バーコードの中ではＱＲコードがよく見られる。
【０００３】
ＱＲコードは、典型的には、対象を追跡するために、またユーザーに適したアプリケーションで、複雑なマルチメディアコンテンツを提供するために、使用されている。
【０００４】
ＱＲコードは、ユーザーにテキストを表示する、ユーザの電話に連絡先を追加する、ウェブページを開く、またはテキストメッセージまたは電子メールを作成するために使用することができる。また、ユーザは、既定の情報をコード化している自分自身のＱＲコードを生成し、自分で印刷することもできる。そして、様々な実環境で、ＱＲコードを貼り付けたり、更に、仮想的にウェブページに貼り付けたりすることもできる。多くの場合、ＱＲコードは、例えばインターネット上の特定のＵＲＬリソースに対するリンクなどの、ネットワークや通信アドレスや他のネットワークアドレスを保存するために使用される。
【０００５】
また、ＱＲコードは、雑誌、新聞、道路標識、公共交通機関、名刺、および現実世界で人が目にすることができる、リアル若しくはバーチャルな、いかなる対象にも表示することができる。
【０００６】
カメラ付きで、ＱＲコードを読み取るための適切なソフトウェアを有するスマートフォンを所持するユーザーは、スキャンし、すなわち光学的にＱＲコードの画像を取得し、その中にコード化（符号化）された情報を受け取ることができる。対象物に対する、このデータ接続は、一般に「ハードリンク」または「リアルワールドハイパーリンク（ｒｅａｌ  ｗｏｒｌｄ  ｈｙｐｅｒｌｉｎｋ）」と呼ばれている。
【先行技術文献】
【特許文献】
【０００７】
【特許文献１】米国特許出願公開第２０１１／２８３１９６号
【考案の概要】
【考案が解決しようとする課題】
【０００８】
米国特許出願公開第２０１１／２８３１９６号には、イベントを運営する最終的なユーザーが、イベントのゲストのリストを管理し、ゲストのＲＳＶＰ応答、すなわちイベントに出席するか否か、を管理および整理し、イベントの前にゲストと連絡を取り、イベントの後にゲストとの連絡を取るようにする、Ｗｅｂベースの電子ＲＳＶＰサービスについての記載がある。
【０００９】
このＲＳＶＰサービスを利用すれば、ウェブブラウザのＵＲＬのような特定のネットワークアドレスにアクセスすることにより、ゲストは電子的にＲＳＶＰ要求に応えることができる。
このサービスのおかげで、ゲストはイベントの前、最中、その後に、例えば、写真やビデオなどの、イベントに関する情報やその他のコンテンツをダウンロードして送信することができる。
サービスは、運営する最終ユーザーが招待状の特定のモデルを選択して、例えば、写真、メッセージ、色などの個人データを追加することによって、それを個人向けに変更できる個人化エンジン（パーソナライゼーション・エンジン）を提供する。 
【００１０】
このサービスは運営する最終ユーザーが招待状を注文するためのシステムの一部として選択可能である。この場合、ゲストは自分たちの回答を送るためにウェブブラウザを使用するサービスに接続することができる。
回答およびイベントに関する他のデータは、運営する最終ユーザー、また、ゲストからもアクセス可能である。
このサービスは、運営する最終ユーザーからのＲＳＶＰオプションの選択肢に対する返信をもらうために、一連のＲＳＶＰウェブページ（ＲＳＶＰウェブサイトとして定義される）を動的に生成するウェブページ生成モジュールを提供する。ＲＳＶＰウェブサイトに繋がるアドレスは、動的に生成され、ゲストに送付される招待状に印刷され、加えて電子メールで直接ゲストに発信も可能である。ＵＲＬアドレスは、ＲＳＶＰウェブサイトに接続するために、スキャンされるＱＲコード、または他のバーコードフォーマットと共に招待状の裏に英数字で印刷されることができる。
【００１１】
ゲストがどのようにしてＲＳＶＰウェブサイト、対応するウェブページに接続するかに関わらず、ゲスト自身は、様々なイベントデータ例えば、日付、時間、場所といったイベントに関する情報、にアクセスして、修正することができる。または、例えばイベントの最中か、後に、イベントの写真およびビデオを送信することができ、イベントについてのコメントまたは他のメッセージを送ることができる。
運営する最終ユーザーもまた、イベントのデータにアクセスし、それらを修正することができる。
【００１２】
特に、運営する最終ユーザは、ＲＳＶＰサービスオプションを選択することができ、そして、ＲＳＶＰウェブサイトのためにＵＲＬが自動的に生成される。
もしくは、ＵＲＬは、例えばイベントに関する英数字を含む単一のＵＲＬを、運営する最終ユーザーが特定することにより手動で作成される。招待状は、運営する最終ユーザーのシステムによって、ＵＲＬおよび／またはＱＲコードとともに表示され、ＵＲＬおよび／またはＱＲコードは、修正または削除することも可能である。ゲストは、ＲＳＶＰのウェブサイトに接続し、自身の回答を送るために、受信したＵＲＬやＱＲコードを使用することができる。
【００１３】
ＲＳＶＰサービスのユーザーは、イベントの前、最中、およびその後に、写真、動画、コメントやその他のデータをＲＳＶＰのウェブサイトに発信することができ、ＲＳＶＰウェブサイトを、特定のイベントのためのソーシャルネットワークサイトに変更することができる。
【００１４】
従って、この周知のＲＳＶＰサービスの限界および欠陥は、データの守秘性の潜在的欠如と、運営する最終ユーザーの制御が届かない望まぬ方法で、ゲストが他の情報、テキスト、メッセージ、写真、動画を使用し、そのデータを修正または統合できるという可能性に由来する。
【００１５】
事実、ＲＳＶＰサービスで起こりうるディメリットの１つは、運営する最終ユーザーだけでなく全てのゲストが、情報の内容、テキスト、メッセージ、写真、動画または他のマルチメディアコンテンツをＲＳＶＰウェブサイトに発信することができるということにある。
もう１つのディメリットは、同一のＵＲＬが生成される可能性があるというリスクである。従って、異なるユーザーが同じＵＲＬにアクセスすることができる場合、データの機密性が危殆化する。
【００１６】
従って、従来技術のディメリットの内、少なくとも１つを克服できる、動的な情報コンテンツを遠隔表示するためのシステムおよび装置を完成させなければならない。
【００１７】
本考案の目的は、動的な情報コンテンツを遠隔表示するシステムおよび装置を提供することである。そして特に、不変または静的なＱＲコードを連続してスキャンすることにより、動的コンテンツを提示し、前記動的コンテンツを、登録および公認されたユーザー、少なくとも内容を修正するサービスの利用が公認されているユーザーに、確実かつ一義的に関連付けるシステムおよび装置を得ることである。
【００１８】
出願人は、これらとその他の目的および利点を得るために、本考案を考案、テストおよび実施した。
【００１９】
特に定められない限り、ここ及びこの後に使用するすべての専門的および科学用語は、当該考案が属する技術分野において通常の知識を有す者により一般に理解されるのと同じ意味を有する。
【００２０】
本考案は独立クレームにおいて記載され、特徴づけられる。その一方で、従属クレームは他の本考案の特徴または主な考案概念に対する変形例を記載する。
【課題を解決するための手段】
【００２１】
上記の目的に従い、動的コンテンツを表現するＱＲコードを生成することによる、動的な情報コンテンツの遠隔表示のためのシステムが提供される。そして、通信網を介してアクセスでき、無線通信ネットワーク、例えば携帯電話通信網、と通信して利用できるコンピューターサーバーシステムを備える装置によって実行される。
コンピューターサーバーシステムは、複数のＵＲＬアドレスを、コンピューターで読み込み可能なフォーマットで格納する電子メモリを含むことができる。
【００２２】
本考案に係るシステムは、インターネット上のＵＲＬアドレスへのポインティング情報をコード化している、少なくとも１つの静的ＱＲコードを生成することを提供する。
【００２３】
各ＵＲＬアドレスは一つ以上の情報、テキストまたはマルチメディアのコンテンツ、例えばオーディオ、写真、動画、に関連付けられる。そして、前記コンピューターサーバーシステムを管理するサービスの供給元またはシステム管理者によって、または前記一つ以上の情報コンテンツを供給するユーザーのみによって、変更、修正、更新することができる。
【００２４】
特に本明細書において記載される実施例は、動的コンテンツを表現するＱＲコードを生成することにより、動的な情報コンテンツの遠隔供給、表示または提示のためのシステムに関し、以下を提供する。
・生成する一連のＱＲコードの数を定める。
・ｘ＝ｎとなるまで、インターネット上にｘ個のＵＲＬアドレスを生成する。
・ＵＲＬアドレスリストに格納されたＵＲＬアドレスと生成されたＵＲＬアドレスとを比較することにより、生成されたｘ個のＵＲＬアドレスの各々の一義性を確認する。
・生成され、一義的であると確認されたｘ＝ｎ個のＵＲＬアドレスをそれぞれコード化するｎ個のＱＲコードを生成する。
・単一の特定の公認された、一つ以上の情報、テキストまたはマルチメディアコンテンツの供給ユーザーに、特定して生成された、一義的なＵＲＬアドレスを割り当てる。
・前記一つ以上の情報コンテンツを供給する公認されたユーザーのみ、またはシステム管理者のみが、ロードし、動的に修正できる形で、情報、テキストまたはマルチメディアのコンテンツを利用可能とする。
・一人以上の受信ユーザーが、情報コンテンツおよび供給ユーザーまたはシステム管理者のみによって随時（その都度）修正する情報コンテンツにアクセスするか、またはそれを表示できるように、生成され割り当てられたＵＲＬアドレスを構成する。
・前記一人以上の受信ユーザーが光学的にＱＲコードを取得し、コード化されたＵＲＬアドレスを復号化する。前記ＱＲコードは、割り当てられたＵＲＬアドレスの情報コンテンツに受信ユーザーを導き、そして前記情報コンテンツおよび（供給ユーザーまたはシステム管理者のみによって随時修正する）動的な情報コンテンツにアクセスまたは表示する。
【００２５】
従って本考案は、割り当てられたＵＲＬアドレスのデータおよび情報コンテンツの厳重な守秘性に繋がる重要な利点と、供給ユーザーまたはシステム管理者から離れたところで、受信ユーザーが、割り当てられた特定のＵＲＬアドレスのデータおよび情報コンテンツを、他の情報、テキスト、メッセージ、写真、動画で修正または統合しないという事実に繋がる重要な利点とを有する。
【００２６】
事実、本考案において、供給ユーザーまたはシステム管理者のみが、割り当てられたＵＲＬアドレスのデータおよび情報コンテンツを利用または修正することができる。
その一方で、受信ユーザーは、前記データおよび情報コンテンツにアクセスするかまたはそれを表示するのみか、または一般的に受信して使用するのみである。そのうえ、本考案によるＵＲＬの一義的制御によって、同一のＵＲＬは生成されず、データの守秘性のいかなる危険性も回避する。
【００２７】
本考案の、これらおよび他の態様、特徴および利点は、以下の説明、図面および添付の請求項を参照してよりよく理解される。
取り入れられ、そしてこの明細書の一部を構成する図面は、本考案の実施例を例示し、説明と共に、本開示内容の原理を説明するのに役立つ。
【００２８】
本開示内容に記載される様々な態様および特徴は、可能な場合、個々に適用することができる。例えば添付の従属クレームに記載されている態様および特徴といった、これらの個々の態様は、分割出願の対象ともなり得る。
【００２９】
実用新案プロセスの間に公知であると発見されたいかなる態様または特徴は、請求せず、そしてディスクレームの対象であると理解する点に留意する必要がある。
【図面の簡単な説明】
【００３０】
本考案のこれらとその他の特徴は、添付の図面に関する非限定的な実施例として与えられ、いくつかの実施例における以下の説明により明らかになる。
【図１】本考案にかかるシステムによって入手できるＱＲコードの実施例である。
【図２】管理者が一連のＱＲコードを生成するための本考案によるシステムの一部を例示するブロック図である。
【図３】ユーザーがＱＲコードを得て、読み込むための本考案によるシステムの一部を例示するブロック図である。
【図４】ユーザーがＱＲコードを得て、読み込むための本考案によるシステムの一部を例示する他のブロック図であり、娯楽（エンターテイメント）に適用される。
【図５】ユーザーがＱＲコードの内容を編集するための本考案によるシステムの一部を例示するブロック図であり、娯楽（エンターテイメント）に適用される。
【図６】編集者が、ＱＲコードの内容を編集するための本考案によるシステムの一部を例示するブロック図であり、機密データの情報利用および処理に適用される。
【図７】ゲストがＱＲコードを読み込むための本考案によるシステムの一部を例示するブロック図であり、情報利用に適用される。
【図８】ユーザーおよびオペレータがＱＲコードの内容を読み込みおよび／または編集するための本考案によるシステムの一部を例示するブロック図で機密データの処理に適用される。
【図９】本考案による装置の実施例のブロック図である。  理解しやすくするために、可能であれば、図面中の同一の共通の要素を識別するために、同じ参照番号が使用されている。一実施例の要素および特徴が、更なる説明の無い他の実施例に適宜組み込まれることができるものと理解される。
【考案を実施するための形態】
【００３１】
本考案の各種実施形態への参照が詳細になされ、そして、その一つ以上の実施例が図に示される。図面の以下の説明の範囲内で、同じ番号は同じ構成要素に関連する。
通常、個々の実施例に関する違いだけが記載される。
各実施例は、本考案の説明として設けられ、本考案の限定を意味しない。例えば、一実施例の一部として例示されるかまたは記載されている特徴は、更なる実施例を産出する他の実施例に、または連携して使用されることができる。本考案は、この種の修正変更を含むことが意図されている。
【００３２】
本考案による実施例は、実質的に、インターネット上にＵＲＬアドレスを生成して、ＱＲコードに割り当て、
その情報コンテンツは、動的であり、データベースに保存可能であり、それゆえに前記情報コンテンツのＱＲコードおよびアドレスを受信するユーザー（受信ユーザー）ではなく、前記情報コンテンツを供給するユーザー（供給ユーザー）またはシステム管理者のみが、コンテンツ管理システム（ＣＭＳ）を使用して、望み通りに修正／編集することができ、前記情報コンテンツのＱＲコードおよびアドレスを受信するユーザーは、情報コンテンツを変更または統合させることができず、使用しかできないものである。
いくつかの実施例において、受信ユーザーは情報コンテンツの目的または対象だけを表示し、それを変更または修正することができないため、ＱＲコードを読み込んで対応するＵＲＬにアクセスすることを除いては、本考案による動的な情報コンテンツの遠隔供給、表示および／または提示において、特に、受動的役割を果たす。
【００３３】
広範かつ大きな規模では、本考案の出願は、例えば、経費の低減および環境維持の利点につながる紙のバックアップを削減することができ、通常複雑な技術的操作が無ければアクセスできない官僚的データや技術データへの高速アクセスを可能にし、情報およびアーカイブ素材を失う危険性を回避する。
さらにまた、本考案は、一般的に動的な情報コンテンツ、テキスト、写真、オーディオ、動画またはマルチメディア（例えば、現実または仮想で確定された対象に関連付けられた）を供給、表示または提示するために、娯楽の分野で広く利用可能であり、また本考案で生成されるＱＲコードを保持するウェブコンテンツを含む。
【００３４】
本考案は、特にＵＲＬアドレスおよびおそらく一つ以上の一義的なセキュリティーコードを生成することを提供する。
【００３５】
いくつかの実施例において、特に各ＱＲコードに対して少なくとも一つの一義的なセキュリティーコードを生成することができる。その一義的なセキュリティーコードは、ＱＲコードとともに、またはＱＲコードとは別に受信ユーザーに暗号化されずに提示されるものであり、またＵＲＬアドレスの情報コンテンツへのアクセスまたは表示のために、受信ユーザーから要求（リクエスト）されるものである。
【００３６】
さらにまた、本考案は、発生するＵＲＬアドレスの一義性の制御、およびＵＲＬアドレスをコード化するＱＲコードの生成を提供することができる。
【００３７】
さらにまた、ＱＲコードをアクティベート（起動）させ、供給ユーザーをサービスに登録し、登録された供給ユーザーによるサービスへのアクセスを認証することができる。
【００３８】
さらにまた、前記コンテンツ管理システム（ＣＭＳ）によって、供給ユーザーまたはシステム管理者のみが、情報、テキストまたはマルチメディアのコンテンツを管理することができる。
【００３９】
例えば本考案は、例として以下に記載するように、娯楽／アミューズメント分野または情報分野、さらには、機密データの処理に適用されることができる。
【００４０】
いくつかの実施例において、一つ以上の情報、テキストまたはマルチメディアのコンテンツを供給するユーザーは、本考案による動的コンテンツを表現するＱＲコードを生成することによって、動的な情報コンテンツの遠隔供給、表示または提示のためのサービスを登録可能である。
【００４１】
本考案に係るシステムによると、生成され、一義的である特定のＵＲＬアドレス（それぞれＱＲコードをコード化している）を、一つ以上の情報、テキストまたはマルチメディアのコンテンツを供給する前記ユーザー（前記ＵＲＬアドレスに対して単一かつ特定の供給ユーザー）に割り当てることができる。
【００４２】
供給ユーザーは、前記一つ以上の情報、テキストまたはマルチメディアのコンテンツをロードし、それらをＵＲＬからアクセス可能にする。供給ユーザーは、受信ユーザーにＵＲＬアドレスをコード化しているＱＲコードを供給する。ＱＲコードはリアルまたはヴァーチャルな対象（例えばウェブコンテンツに基づく）にスタンプされるかまたは印刷されることができ、それを供給ユーザーが受信ユーザーに提供する。
受信ユーザーは、ＱＲコードを読み、それからウェブブラウザでＵＲＬアドレスに接続し、そして前記情報コンテンツに関連付けられる。受信ユーザーは、情報コンテンツを表示、受信または使用することができるが、変更または統合させることはできない。
【００４３】
（実施形態）
［娯楽（エンターテイメント）］
本考案は、本考案によるＱＲコードを備える、物品、製品、例えばウェブコンテンツといった対象（リアルまたはヴァーチャル）に対して、個人用に変更（パーソナライズ）を行うために適用されることができる。
それらは、第１のユーザー、或いは物品、製品または対象（リアルまたはヴァーチャル）を一時的または永久的に所有する受信ユーザーによって使用されるものであり、またサービスに登録され、寄与しており、当該物品、製品または対象（リアルまたはヴァーチャル）を一時的または永久的に第１のユーザーに供給する第２のユーザーによってのみ、動的にＱＲコードのＵＲＬアドレスと関連付けられた、それらの情報、テキストまたはマルチメディアのコンテンツについて、望み通りのパーソナライズ、アップデート、修正され得るものであり、すなわち、供給ユーザーおよびシステム管理者によってのみ修正が可能である。
【００４４】
例えば、衣服または衣類（例えばセーター、Ｔシャツ、ポロシャツ、スェットシャツ、シャツ、ズボン、スカート）、衣類アクセサリー（例えば、バッグ、ベルト、靴、帽子、眼鏡）、家具類、アクセサリ、ギフト商品や文房具、玩具、本および雑誌、葉書、スタンプ他に、例えばプリントまたはアップリケ（貼付）を用い、本考案によるＱＲコードを付加することができ、ＱＲコードはジオレファランスされていても良い。
【００４５】
［機密データ］
本考案は、文書、製品または物品上に、プリントまたはアップリケ（貼付）を用い、本考案によるＱＲコードを付加することによって使用することが可能であり、例えば以下に関連する。
・健康分野
例えば、ＱＲコードを有する健康カードを提供し、その内容は、ユーザーの臨床または健康履歴の状態に応じて更新または修正可能である。
・税の分野
例えばＱＲコードを有するカード、バッジまたはシートを提供し、その内容は、ユーザーの税の履歴状態に応じて更新または修正可能である。
・登記所
例えば、個人情報、税データ、運転免許証、居住地の公文書、法廷記録といったユーザーデータを表示するＱＲコードを有する身分証明書を提供する。
・保険分野
自動車メーカー、保険会社と自動車および自動車両の所有者とのやりとりについて、
例えば、本考案による一つ以上のＱＲコードを自動車および自動車両に添付することにより、例えば、保険最終期限および対応する履歴を記録する機能と、さらに確実にすべての輸送手段の運転履歴と関係のあるイベント、例えば事故、車両点検、保守、試験、修理、を追跡するため、「ブラックボックス」の機能を有する。
・学校
レポート、大学入試の記録、試験の登録リストにおいて、各学生に関連付けられた本考案によるＱＲコードを提供する可能性を有する。
・証拠書類および公文書の分野
例えば土地登記簿といった、容易にアクセスできないコンテンツに、素早くかつ確実にアクセスする。
【００４６】
［情報分野］
事業および広告
・本考案によるＱＲコードを有しパーソナライズされた名刺の可能性。よって時間とともに動的にデータを更新することが可能。
・例えば住宅市場において、ＱＲコード自体を変更する必要がなく、告示するマルチメディアテキストを更新または修正するという、宣伝広告のために本考案によるＱＲコードを使用する可能性。
・ユーザおよび消費者のプロファイリングで、企業による製品の追跡およびジオローカライズの可能性。
・ＱＲコードを複数の特定の企業用でなく、企業のカテゴリー用として生成する可能性。同一のカテゴリーの範囲で、区別するための識別コードであり、異なる企業に同じＱＲコードを提供する。例えば、運送業のために一つのＱＲコード、小売業のためにもう一つのコード等、関連する一義的識別コード。
【００４７】
［インフラおよび公的または私的な輸送機関の分野］
・空路、海路または陸路による、公的または私的な輸送のレシート、チケットに本考案によるＱＲコードを提供する可能性。
・輸送路にアクセスする通行料のために、本考案によるＱＲコードを有するチケットを提供する可能性。
・駐車場利用の課金のために、本考案によるＱＲコードを有するチケットを提供する可能性。
・サービス・メッセージおよび公益事業メッセージを供給および更新する可能性による、本考案によるＱＲコードを道路標識に提供する可能性。
【００４８】
［商業の分野］
・家庭機器および家庭内システム（水、光、ガス）の保守管理の分野に、例えば、オペレータによって更新または修正可能であり、ユーザによって表示が可能な、保守管理の履歴を保持するＱＲコードを使用したチケット、カードまたはバッジを提供する。
・公共の建物（例えばディスコ、バー、レストラン、映画館、スポーツ施設）にアクセスするためのカードまたはチケットに本考案によるＱＲコードを付加する可能性。
・宝くじに本考案によるＱＲコードを付加する可能性。
・手作業で分配される紙の広告材料（チラシ、パンフレットまたはその類のもの）に本考案によるＱＲコードを付加する、そして、続けて新しいバージョンを印刷する必要なく、付随する情報コンテンツを更新する可能性。
【００４９】
［文化遺産の分野］
・博物館、美術展または文化的興味のある場所へ入場するのためのチケットに本考案によるＱＲコードを付加する可能性。
【００５０】
・ＱＲコード自体をジオリファレンスする可能性。博物館、美術展または文化的興味のある場所で普及および情報のために、永続的に本考案によるＱＲコードを使用し、そして随時、強調する文化的興味が何かに応じて、テキストまたはそのマルチメディア・コンテンツを更新する可能性。
【００５１】
［観光］
・訪問場所についての情報を有する本考案によるＱＲコード付きの観光客向けの道路標識。
【００５２】
・ＱＲコード自体をジオリファレンスする可能性によって、受け入れ用（接客用）の建物、例えばホテル、ホステル、山の避難所、レストランまたはアグリツーリズム、に関する情報を供給および更新するために、それらの建物に本考案により１つ以上のＱＲコードを関連付ける可能性。
【００５３】
図２〜８を参照して、我々は、本考案の可能な具体例について説明する。
【００５４】
一連のＱＲコードおよび一義的なセキュリティーコードの生成。
例えば、娯楽（エンターテイメント）／アミューズメントまたは情報の分野での適用のためだけでなく、さらに機密データを処理するための、システム管理者により使用可能なＵＲＬアドレスおよび一連のＱＲコードを生成する実施例について説明する。（例えば図２を参照）
【００５５】
例えばグラフィカル・インタフェースによって、生成されるＱＲコードの数「ｎ」を取り込むことができる管理者ユーザが、一連のＱＲコードを生成するために、オンラインコンピュータシステムを準備する。（図２のステップ１０１）
【００５６】
生成されるＱＲコードは、ｈｔｔｐ：／／ｄｏｍａｉｎ．ｅｘｔ／ｘｙｚタイプのＵＲＬアドレスによってコード化され、「ドメイン」は、例えば「ｑｕｚｚｕｐ」といったシステム管理者により登録されたインターネットドメイン名であり得る。
「ｅｘｔ」は、ドメインの拡張子であり、例えば「ｉｔ」、「ｅｕ」、「ｇｏｖ」、「ｂｉｚ」、「ｃｏｍ」、「ｏｒｇ」等がある。
そして、「ｘｙｚ」は、ｍ個の疑似ランダム英数字の文字列であり、例えば５＜ｍ＜１５であり、例えばｍ＝１０である。文字列は、以下の関数により生成することができ、例えば、文字列の可変長を１０とする。ここで「ｍ」は関数に渡される文字列の長さの値である。（図２ステップ１０２参照）
【００５７】
0003223946.tif 000003
【００５８】
例えば生成されるコードは、ネイティブ関数ｔｉｍｅ（）により与えられる時間に応じて、文字または数字から始まる。値は「ｍ」回繰り返されるサイクルで編集される。そこで、「ｍ」は、生成される文字列の長さに応じた関数に渡される値である。そのサイクルは、乱数と文字列の長さｍの割り算の余りを算出し、それを文字を見出す（探し出す）インジケータとして用いる。一旦そのサイクルが完了すると、関数に渡された「ｍ」の値と同じ長さの文字列が得られる。
【００５９】
生成されたＵＲＬアドレスごとに、基本的に文字列の照合に基づき、システムの一義性により制御される。（図２のステップ１０３）
【００６０】
以下のコードの部分は、生成されるＵＲＬアドレスが実際一義的であるように制御する。
【００６１】
0003223946.tif 000004
【００６２】
この条件が発生すると、データは割り当て可能なセキュリティーコードとともにデータベースに格納される。割り当て可能なセキュリティーコードは、受信ユーザーに供給されることができる。そして受信ユーザーが、ＱＲコードでコード化されたＵＲＬアドレスまたは対応する情報コンテンツにアクセスするには、それを使用しなければならない。
【００６３】
生成されたＵＲＬアドレスが、本当に一義的である場合、システムはまず、変数ｘまたはカウンタ変数ｘを増やし（図２のステップ１０４）、その後セキュリティーコードと呼ばれる、例えば５個の疑似ランダム英数字のコードを生成する。（図２のステップ１０５）
その後、ＵＲＬアドレスおよび生成されたセキュリティーコードは、データベースに登録される。（図２のステップ１０６）
【００６４】
ステップ１０２と同じ関数、または他の関数により、他の英数字コードを生成することができる。そして、それは当該ＱＲコードをユーザーへ割り当てる際に、例えば制御用として用いる。
【００６５】
可能な具体例において、各サイクルの終わりに、ＵＲＬ／セキュリティーコードの対の数、一連のコードの生成時に確定された変数ｎに対応することを確認するような方法で、変数ｘは変数ｎと比較される。（図２のステップ１０７）
【００６６】
一旦、ＵＲＬアドレスと、適宜それと結合する割り当て可能なセキュリティーコードを生成するサイクルが終了すると、そのデータは、個々のＵＲＬ／セキュリティーコードに対して、ベクトルグラフィック形式のＱＲコードを生成する関数に渡すことができる。（図２のステップ１０８）
【００６７】
特に、ＵＲＬアドレスおよび割り当て可能なセキュリティーコードに関するデータが、データベースに書き込み（入力）されたあと、そのイメージは、ベクトル形式で生成され、コンピューターサーバーシステムのファイルシステムのディレクトリーに保存される。
【００６８】
このため、ベクトルグラフィック形式の一連の物理的なＱＲコードを生成するためのシステムを準備する。
【００６９】
ＱＲコードの復号化データは、先に生成されたＵＲＬアドレスに対応する。
【００７０】
暗号化されていない割り当てられたデータは、可能な生成されるセキュリティーコードに対応することができる。
【００７１】
例えば、ＧＮＵ  ＬＥＳＳＥＲ  ＧＥＮＥＲＡＬ  ＰＵＢＬＩＣ  ＬＩＣＥＮＳＥによって共に配布された２つのオープンソースライブラリーによって印刷用に、例えばＰＤＦ形式のＱＲコードおよひファイルの生成が実行される。
【００７２】
例えば物理的な ＱＲコードのイメージの生成を管理するライブラリは、例えば図１に示されるように、コードの以下の部分が所望のシンボルまたは商標、例えばＱＵＺＺＵＰ、を生成するために、修正可能なオープンソースライブラリーＰＨＰ  ＱＲコードジェネレータ（著作権  ２０１０年  Ｄｏｍｉｎｉｋ  Ｄｚｉｅｎｉａ）であってよい。
【００７３】
0003223946.tif 000005
【００７４】
例えば、対応するＰＤＦファイルを生成するために用いるライブラリーは、Ｎｉｃｏｌａ  Ａｓｕｎｉ−Ｔｅｃｎｉｋ．ｃｏｍのＴＣＰＤＦであり得る。
【００７５】
ＱＲコードのアクティベート（起動）、登録および認証
図３は、本考案による使用可能なＱＲコードをアクティベートし、登録し、認証する一般的な手順のありえる具体例を説明するために用いる。説明によると、先に生成されたＱＲコード、対応するＵＲＬアドレス、および適宜デフォルトのセキュリティーコードは、どのユーザーにも関連しない。
【００７６】
例えば、ＱＲコードを読み込むためのソフトウェアを備えるスマートフォンまたは画像の取得と処理およびＱＲコードの読み込みだけでなく、データ通信能力およびインターネットの接続を有する類似の、例えばモバイル型や携帯型、電子デバイスを用いて、ＱＲコードをスキャンして（ステップ６０）、ＵＲＬアドレスを復号化して、対応するインターネットブラウザ上でアドレス指定を行うことができる。例えば、使用可能な他の電子デバイスは、パーソナルコンピュータ、リモート端末、タブレット、ファブレット、ノートブック、ネットブック、ウルトラブックまたはその他である。
【００７７】
一旦、ＵＲＬアドレスのアドレス指定要求を受信すると、コンピューターサーバーシステムは、訪問したのと同じＵＲＬが、例として上述したコンピューターサーバーシステムによって、実際に生成され、割り当てられたことを、マッチング手順によって確認する。（ステップ６１）
ＱＲコードがすでに割り当てられている場合には、関連付られたＵＲＬアドレスの内容が表示される（ステップ６２）
【００７８】
ＱＲコードの割り当てがまだの場合、ユーザーがすでに登録されているかどうかが確認され（ステップ６３）、そして、肯定である場合は、その認証（ステップ６４）および割り当て可能なセキュリティーコードの書き込み（入力）（ステップ６６）へと進む。
ユーザーが登録されていない場合には、登録（ステップ６５）および次のステップ６６を続行する。
ステップ６６の後、アクティベート、登録および認証手続きは、終了となる。
【００７９】
ＵＲＬアドレスがコンピュータサーバーシステムのデータベース中に存在する場合、ユーザーに前記ＵＲＬアドレスを一義的に割り当てる手順が起動される。
そして、例えば「ｄｏｍａｉｎｎａｍｅ．ｅｘｔ」といった、サービスを供給するウェブサイトに、ユーザーのＱＲコードに関連する割り当て可能なセキュリティーコード（例えばデータ書き込みマスクにそれを入力する）を、登録または認証に対する条件（すでに登録されている場合）として、例えば供給することができる。
【００８０】
ユーザーによる割り当て／読み込みの実施例
例えば娯楽の分野への特定の適用において、図４を使用して、ユーザーがＱＲコードの割り当ておよび読み込みを行うための実施例を説明する。
【００８１】
何らかのＱＲコードリーダーによってスキャンされたＱＲコードに含まれたＵＲＬアドレスを復号化するために、オンラインシステムを準備する。（ステップ２０１）
【００８２】
システムは、スキャンされたＱＲコードに含まれたＵＲＬアドレスが、実際にデータベースに存在するかどうか確認する。（ステップ２０２）
【００８３】
ＵＲＬアドレスが存在しない場合、エラー画面が表示されるか（ステップ２０３）、そうでなければ、受信ユーザーへＱＲコードの所有の割り当て制御がなされる。（ステップ２０４）
【００８４】
ＱＲコードがすでに受信ユーザーに割り当てられている場合、ＱＲコードに含まれたＵＲＬアドレスに対応して、マルチメディアコンテンツが表示されるか（ステップ２０５）、そうでなければＱＲコードは割り当てられていないとして認識され、その結果、登録が確認される。（ステップ２０６）
生じうるユーザー登録ステップ（ステップ２０７）に続き、または登録済みのユーザーのために、ユーザー認証が行われ（ステップ２０８）、受信ユーザーは対応するセキュリティーコードを書き込み（ステップ２０９）、そしてユーザーへのＱＲコードの所有の割り当てを続行する（ステップ２１０）。
【００８５】
コンテンツ管理システム
コンテンツ管理システム（ＣＭＳ）を実施するためのコンピュータシステムを準備する。
そしてこのシステムは、情報、テキストまたはマルチメディアのコンテンツを追加、修正または削除するために、本考案によるＱＲコードを復号化することにより参照されるＵＲＬアドレスに対応するウェブページにおいて、ＱＲコードを受信するユーザーではなく、供給するユーザーまたはシステム管理者のみが、コンピュータサバ―システムへの認証を介することによりアクセス可能である。
【００８６】
与えられたＱＲコードでコード化されたＵＲＬアドレスに関連付けられた情報コンテンツを編集するための、修正または編集の許可は、当該ＱＲコードの供給ユーザーのみに与えられる。
すなわち、供給ユーザーは、有限または無限の回数、このようにして供給ユーザーの裁量でＵＲＬアドレスに関連付けられたウェブページの内容を修正することができる。
その一方で、ＱＲコードを受信するユーザーは、このＵＲＬアドレスに関連付けられたウェブページの情報コンテンツを修正することができない。
【００８７】
供給ユーザーまたはシステム管理者によってのみ修正可能な情報コンテンツは、テキストまたはマルチメディアの性質を備えうる。
そして、特に、例えば以下を含むことができる。
１．  テキストメッセージの追加／修正／削除
２．  画像の追加／修正／削除
３．  動画の追加／修正／削除
４．  音声の追加／修正／削除
５．  上記１〜４の組合せ
【００８８】
ありうる具体例において、例えばプライバシーを管理する目的で、道徳または社会秩序への尊重を保証するために、ウェブページに関連付け可能な情報コンテンツの性質に、ソフトウェアフィルタ（自己学習能力を伴ってもよい）を設けることができる。
【００８９】
ユーザーによる娯楽使用のための編集の実施例
娯楽分野への特定の適用において、図５を使用して、ユーザーが内容を編集するためのいくつかの実施例について説明する。
【００９０】
何らかのＱＲコードリーダーを用いてＱＲコードをスキャンした後に（ステップ３０１）、ユーザーの認証がリクエストされる（ステップ３０２）。
そして、ＱＲコードにコード化され、ＵＲＬアドレスに存在する、情報コンテンツ、テキスト、マルチディアデータを追加、修正、削除できるようにするコンテンツ管理システム（ＣＭＳ）に、供給ユーザーをアクセスさせる。
【００９１】
編集者または公認のサービスプロバイダによる情報利用および機密データの編集の実施例
情報分野または機密データ取扱いの特定の適用において、図６を使用して、編集者または公認のサービス供給者が内容を編集するための実施例について説明する。
【００９２】
ＱＲコードに含まれるＵＲＬアドレスに存在するマルチメディアデータの認証ステップ（ステップ４０１）およびその後、コンテンツ管理システム（ＣＭＳ）を介した修正および削除ステップ（ステップ４０２）を実行するためのオンラインの予約領域は、ログインおよびパスワードといった予約された証明によってアクセスが管理され、準備されている。
【００９３】
サービスのゲストによる情報利用のためのＱＲコードの読み込みの実施例
図７を使用して、例として上述した観光、商業または他のサービスにおける、サービスのゲストによる情報利用のための実施例について説明する。
【００９４】
何らかのＱＲコードリーダーを用いてＱＲコードをスキャンした後（ステップ５０１）、システムはＱＲコードに含まれるＵＲＬアドレスを復号化し（ステップ５０２）、そしてスキャンされたＱＲコードにより参照されるＵＲＬアドレスに対応したマルチメディアコンテンツが、出力に復元される（ステップ５０３）。
【００９５】
ユーザーまたはオペレータによる機密データの使用のための読み込み／編集の実施例
図８を使用して、ユーザーまたはオペレータによる機密データの起こりうる読み込みおよび編集のための実施例について説明する（例えば、上述の健康、税または登記の分野またはその他）。
【００９６】
オンラインシステムを、何らかのＱＲコードリーダーによってスキャンされたＱＲコードに含まれるＵＲＬアドレスを復号化するために準備する（ステップ６０１）。システムは、リーダーにスキャンされたＱＲコードに含まれたＵＲＬアドレスがデータベースに有効に存在するかどうか確認する（ステップ６０２）。
【００９７】
ＵＲＬアドレスが存在しない場合、エラー画面が表示される（ステップ６０３）。そうではなく、リーダーでスキャンされたＱＲコードに含まれているＵＲＬアドレスが実際に存在する場合、一旦認証が行われ（ステップ６０４）、サービスにアクセスするユーザーがコンテンツを編集できるオペレーターであるかどうか確認するために検証が行われる（ステップ６０５）。
【００９８】
ユーザーが標準ユーザーである場合、ＵＲＬアドレスのマルチメディアコンテンツの表示のみが可能であるが（ステップ６０６）、ユーザーがオペレータである場合、それを表示するだけでなく、コンテンツ管理システム（ＣＭＳ）を用いてそのコンテンツを編集することもできる（ステップ６０７）。
【００９９】
動的な情報コンテンツを表現するＱＲコードの生成による動的な情報コンテンツの遠隔表示のための装置
動的な情報コンテンツを表現するＱＲコードを生成することにより、動的な情報コンテンツの遠隔供給、表示または提示のために、装置または、例えば図９に記載された電子通信装置（アーキテクチャ）１５０を使用して、本考案に記載のシステムを構築できる。
そしてコンピューターサーバースシステム１６０は、以下構成される。
・生成される一連のＱＲコードの数を定め、
・ｘ＝ｎとなるまで、インターネット上にｘ個のＵＲＬアドレスを生成し、
・ＵＲＬアドレスリストに格納されたＵＲＬアドレスと生成されたＵＲＬアドレスとを比較することにより、生成されたｘ個のＵＲＬアドレスの一義性をそれぞれ確認し、
・生成され、一義的であると確認されたｘ＝ｎ個のＵＲＬアドレスをそれぞれコード化するｎ個のＱＲコードを生成し、
・一つ以上の情報、テキストまたはマルチメディアのコンテンツを供給する単一かつ特定の公認されたユーザーに、特定して生成された、一義的なＵＲＬアドレスを割り当て、
・上記情報コンテンツを供給する公認されたユーザーまたは一人以上のシステム管理者のみによって、ロードされ動的に修正できるように、上記情報、テキストまたはマルチメディアのコンテンツを利用可能とし、
・情報コンテンツおよび動的な情報コンテンツに、すなわち、供給ユーザーまたはシステム管理者のみによって随時修正されるコンテンツに、一人以上の受信ユーザーが、アクセス若しくは表示が許可されるように生成され割り当てられたＵＲＬアドレスが構成され、
・前記一人以上の受信ユーザーが、光学的にＱＲコードを取得し、コード化されたＵＲＬアドレスを復号化するように、一つ以上の携帯型の電子テレコミュニケーションデバイス１７０が構成され、ユーザーをコンピューターサーバーシステム１６０によって利用可能となる割り当てられたＵＲＬアドレスの情報コンテンツに導き、そして上記情報コンテンツおよび供給ユーザーまたはシステム管理者のみによって随時修正される情報コンテンツにアクセスし、表示するようにし、
・一つ以上のユーザーインターフェース１９０が、供給ユーザーまたはシステム管理者のみによって、コンピューターサーバーシステムにアクセスし、上記情報コンテンツをロードし動的に修正するよう構成されている。
【０１００】
ＵＲＬアドレスリストは、データベースによって格納および管理できる。いくつかの実施例において、データベースは、ＭｙＳＱＬ（登録商標）を使用してインプリメント（実装）することができる。しかしながら、例えばＭｉｃｒｏｓｏｆｔ  ＳＱＬ、ＩＢＭ  ＳＱＬ等といった、データベースの様々な異なるフォーマットも使用できる。
【０１０１】
特に、コンピューターサーバーシステム１６０は、中央演算処理装置１６１またはＣＰＵ、電子メモリ１６２、電子データベース１６３および補助回路（またはＩ／Ｏ）（図示せず）を含むことができる。
【０１０２】
例えば、ＣＰＵは、コンピューターセキュリティーを制御するため、ＩＴ分野で使用可能なコンピューター用プロセッサーであれば、いかなる形であっても良い。
【０１０３】
メモリは、ＣＰＵに接続可能であり、例えばランダム・アクセス・メモリ（ＲＡＭ）、読出し専用メモリ（ＲＯＭ）、フロッピーディスク、ハードディスク、大容量メモリまたはその他の形態のデジタル・アーカイブ（ローカルまたはリモート）といった、市販されている一つ以上のメモリであれば良い。
【０１０４】
ソフトウェア命令およびデータは、ＣＰＵに指令を出すために、例えばコード化され格納されることができる。
【０１０５】
補助回路は、プロセッサを助けるためにＣＰＵに接続することが可能である。補助回路は、例えば、キャッシュ回路、フィード回路、クロック回路、入出力回路、サブシステムおよびその類のものを、少なくとも１つ含むことができる。
【０１０６】
コンピューターサーバーシステム１６０によって読み込み可能なプログラム（またはコンピューター命令）は、どのタスクが実行可能か、決定することができる。
いくつかの実施例において、プログラムは、コンピューターサーバーシステム１６０によって読み込み可能なソフトウェアである。
コンピューターサーバーシステム１６０は、導入または生成される情報およびデータを、生成および格納するコードを含む。
【０１０７】
電子通信アーキテクチャ１５０のコンピューターサーバーシステム１６０は、ＭｙＳＱＬデータベースを用いたＰＨＰプログラムソフトウェアを有するＬｉｎｕｘ（登録商標）プラットフォーム上のＡｐａｃｈｅウェブサーバーであり得る、ウェブサーバーを提供することができる。
加えてそのプラットフォームは、クライアントおよび他のサービスと通信ができるように、アプリケーションプログラミングインターフェース（ＡＰＩ）を公開することができる。
ＡＰＩは、ハイパーメディアシステムを配信するために、Ｒｅｐｒｅｓｅｎｔａｔｉｏｎａｌ  Ｓｔａｔｅ  Ｔｒａｎｓｆｅｒ（ＲＥＳＴ）アーキテクチャに基づくことができる。
【０１０８】
電子通信装置１５０は、前述のように、さまざまなユーザーに関連付けられ、データ通信およびデータネットワーク接続のために構成され、またＱＲコードを取得およびコード化するための、概してスマートフォンのような、一つ以上の携帯型電子テレコミュニケーションデバイス１７０を含む。
さらにまた、電子通信装置１５０は、本明細書に従い生成され、ユーザーがアクセス可能な物品または対象１８０に適用または印刷される一つ以上のＱＲコードを提供することができる。
【０１０９】
電子通信装置１５０は、上述のように、遠隔からコンピューターサーバーシステム１６０の自分のアカウントにアクセスするために、一つ以上のユーザーインターフェース１９０、例えばパーソナル・コンピュータ、遠隔端末、スマートフォン、タブレット、ファブレット、ノートブック、ネットブック、ウルトラブックまたはその他を含み、それによって、ユーザーが、コンピューターサーバーシステム１６０のサービスで、自分を登録および／または認証し、そのサービスにアクセスすることができ、ＱＲコードにコード化されているＵＲＬアドレス、またはユーザーが管理している幾つかのＱＲコードに関連した幾つかのＵＲＬアドレスに関連付けられている情報、テキスト、またはマルチメディアコンテンツをロード、修正、アップデートまたは削除する。
【０１１０】
本明細書に記載されているシステムを実現するために、中央演算処理装置１６１は、構成および使用されることができる。
【０１１１】
電子メモリ１６２は、一つ以上のステップの実行に役立つデータ（例えばロードまたは随時修正された情報コンテンツ、さらには生成されたＵＲＬアドレス）を、例えば一時的または確定的に格納するように、構成および使用されることができる。
【０１１２】
例えば、コンテンツ管理システム（ＣＭＳ）をインプリメントおよび整備するために、本明細書に記載されたステップを実行するのに役立ち、そして生成されたＵＲＬアドレスを割り当てることにも役立つデータを、整理し、管理し、そして利用可能とするために、電子メモリ１６２に保存可能または他のメモリサポートに格納可能な電子データベース１６３が、構成および使用されることができ、生成されたＵＲＬアドレスの一義性、ＱＲコードへの一義的な関連付け、およびそのサービスの公認されたユーザーに対する一義的な関連付けを制御するための方針（ポリシー）を管理する。
【０１１３】
コンピュータサーバーシステム１６０は、入力インターフェース１６４を、若しくは、例えば他のコンピューターとのネットワーク或いはテレコミュニケーションネットワークに繋がっている、何らかの入力デバイスを提供することができる。
入力インターフェース１６４は、書き込みステップ１００を実行するために構成および使用されることができる。
【０１１４】
コンピューターサーバーシステム１６０は、例えば他のコンピューターのネットワークまたはテレコミュニケーションネットワークを有する、無線または有線の、ネットワークコミュニケーションのための、ボード、モジュールまたはゲートといった、一つ以上のネットワーク接続デバイス１６５を提供することもできる。
一つ以上のこれらのネットワーク接続デバイス１６５は、コンピューターサーバーシステム１６０にリモートアクセスするために使用することができる。
【０１１５】
幾つかの実施例は、上記のように様々なステップ、過程および動作を実行する。
ステップ、過程および動作は、マシンで実行される指示により行われる。そして特定のステップは、汎用若しくは特殊用途のプロセッサによって、実行される。
あるいは、ステップ、過程、および動作は、ステップを実行するためのハードウェアロジックを含む特定のハードウェハコンポーネントによって、または、プログラムされたコンピュータのためのコンポーネントおよびパーソナライズされたハードウェアコンポーネントのいかなる組合せでも実行されることができる。
【０１１６】
本明細書の幾つかの実施例は、指示（インストラクション）を含むコンピュータによって読み取り可能な手段で格納することができる、コンピュータープログラムに含まれることができる。一旦上記装置１５０によってその指示が実行されると確定する。
【０１１７】
特に、本考案による要素は、マシンによって実行可能な指示を格納するために、マシンが読み取り可能な手段として供給される。マシンが読み取り可能な手段は、以下に限定されないが、フロッピーディスク、光ディスク、ＣＤ―ＲＯＭおよび光磁気ディスク、ＲＯＭ、ＲＡＭ、ＥＰＲＯＭ、ＥＥＰＲＯＭ、光学または磁気ボード、伝播手段または他のタイプのマシンで読み取り可能な、電子情報を格納するのに適している手段（電子情報を格納するために適切なＲＯＭ、ＲＡＭ、ＥＰＲＯＭ、ＥＥＰＲＯＭ、光学または磁気ボード、伝達手段または他のタイプの機械で読取り可能な手段）を含むことができる。
【０１１８】
以上記載したように、本考案の分野および範囲を逸脱しない範囲で、動的な情報コンテンツの遠隔表示のためのシステム及び装置に、部分、またはステップの修正または追加が可能なことは明らかである。
【０１１９】
本考案は、いくつかの具体例に関して記載しているが、確実に当業者が動的な情報コンテンツの遠隔表示のためのシステムおよび装置の多くの他の同等なものを達成することが可能であることは明白である。そして、請求項にて記述されているような特徴を有し、それ故、すべてここに定められる保護範囲に属する。
【符号の説明】
【０１２０】
１５０  電子通信装置（アーキテクチャ）
１６０  コンピューターサーバーシステム
１６１  中央演算処理装置
１６２  電子メモリ
１６３  電子データベース
１６４  入力インターフェース
１６５  ネットワーク接続デバイス
１７０  電子テレコミュニケーションデバイス
１８０  対象
１９０  ユーザーインターフェース
【図１】
0003223946.tif 000006
【図２】
0003223946.tif 000007
【図３】
0003223946.tif 000008
【図４】
0003223946.tif 000009
【図５】
0003223946.tif 000010
【図６】
0003223946.tif 000011
【図７】
0003223946.tif 000012
【図８】
0003223946.tif 000013
【図９】
0003223946.tif 000014
【手続補正書】
【提出日】令和1年9月11日(2019.9.11)
【手続補正１】
【補正対象書類名】実用新案登録請求の範囲
【補正対象項目名】全文
【補正方法】変更
【補正の内容】
【実用新案登録請求の範囲】
【請求項１】
動的な情報コンテンツを表現するＱＲコード（登録商標）を生成することにより、動的な情報コンテンツの遠隔供給、表示または提示のための装置であり、
コンピューターサーバーシステム（１６０）と一つ以上の携帯用の電子テレコミュニケーションデバイス（１７０）と一つ以上のユーザーインターフェース（１９０）とを備えていると共に、
１）前記コンピューターサーバーシステム（１６０）は、
生成する一連のＱＲコードを定め、
インターネット上にｎ個のＵＲＬアドレスを生成し、
前記ＵＲＬアドレスの生成においてｍ回繰り返されるサイクルにより、ｍ個の長さの擬似ランダム英数字の文字列を生成し、前記サイクルは、乱数と前記文字列の長さｍとの割り算の余りを算出し、前記疑似ランダム英数字を見出すインジケータとして使用し、
ＵＲＬアドレスリストに格納されたＵＲＬアドレスと比較することにより、前記ｘ個の生成されたＵＲＬアドレスの各々の一義性を確認し、
ＵＲＬアドレスが一義的である場合、前記ＵＲＬアドレスリストを含むデータベースに格納され、カウンター変数ｘがｘ＝ｎ個となるまで増加され、そして少なくともセキュリティーＵＲＬアドレスの数が、生成される一連のＱＲコードの数ｎに対応するように、前記ｘ＝ｎ個の生成された、一義的であると確認されたＵＲＬアドレスをそれぞれコード化するｎ個のＱＲコードを生成し、
単一の特定の公認された、一つ以上の情報、テキストまたはマルチメディアを含む前記情報コンテンツの供給ユーザーに、特定して生成された、一義的であるＵＲＬアドレスを割り当て、
前記公認されたユーザーのみ、または一人以上のシステム管理者のみによって、ロードされ動的に修正できるように、情報、テキストまたはマルチメディアコンテンツを含む前記情報コンテンツを利用可能とし、
２）一つ以上の前記携帯用の電子テレコミュニケーションデバイス（１７０）は、
一人以上の受信ユーザーが、前記供給ユーザーまたは前記システム管理者のみによって随時修正される前記情報コンテンツにアクセスするか、または表示できるように、前記生成され、割り当てられたＵＲＬアドレスを構成し、
前記一人以上の受信ユーザーが、光学的に前記ＱＲコードを取得し、前記コード化されたＵＲＬアドレスを復号化し、
前記ＱＲコードは、割り当てられた前記ＵＲＬアドレスの前記情報コンテンツに前記受信ユーザーを導き、そして前記情報コンテンツおよび前記供給ユーザーまたは前記システム管理者のみによって、随時修正される動的な前記情報コンテンツにアクセスするかまたは表示し、
前記各ＱＲコードのための少なくとも一つの一義的なセキュリティーコードが生成され、前記一義的なセキュリティーコードは、前記ＱＲコードとともに、または、前記ＱＲコードとは別に、前記受信ユーザーに、暗号化されずに提供され、前記ＵＲＬアドレスの前記情報コンテンツへのアクセスまたは表示のために、前記受信ユーザーから要求され、
３）一つ以上の前記ユーザーインターフェース（１９０）は、
情報、テキストまたはマルチメディアコンテンツを含む前記情報コンテンツを追加、修正または削除するために、前記ＱＲコードを復号化することにより参照される前記ＵＲＬアドレスに対応するウェブページにおいて、前記ＱＲコードの前記受信ユーザーではなく、前記供給ユーザーまたは前記システム管理者のみが、コンピューターサーバーシステムへの認証を介することによりアクセス可能な、コンテンツ管理システム（ＣＭＳ）を実施し、前記コンピューターサーバーシステムを用いて、前記ＵＲＬアドレスに関連する前記情報コンテンツを修正し、
前記ＵＲＬアドレスに関連する前記ウェブページの前記情報コンテンツを修正するために、与えられたＱＲコードによってコード化されたＵＲＬアドレスに関連付けられた前記情報コンテンツを編集する修正許可は、前記ＱＲコードの前記供給ユーザーのみまたは前記システム管理者のみに割り当てられ、
一方、前記ＱＲコードの前記受信ユーザーは、前記ＵＲＬアドレスに関連付けられた前記ウェブページの前記情報コンテンツを修正することができないことを特徴とする装置。
【請求項２】
前記供給ユーザーのみによるロードおよび動的な修正サービスへの登録と、
登録された前記供給ユーザーのみによる、ＵＲＬアドレスの一義的に割り当てと同時に、サービスにアクセスするための認証とを提供することを特徴とする請求項１記載の装置。
【請求項３】
前記文字列の最初の文字は、前記文字列の作成時の時間の関数であることを特徴とする請求項１または２記載の装置。
【請求項４】
前記ＱＲコードを生成して、ベクトルグラフィックス形式で格納することを特徴とする、請求項１乃至３のいずれか１項記載の装置。
【請求項５】
前記ＱＲコードの復号化されたデータは、先に生成された前記ＵＲＬアドレスに対応し、そして暗号化されていない割り当てられたデータは、生成されたセキュリティコードに対応することを特徴とする請求項１乃至４のいずれか１項記載の装置。
【請求項６】
前記供給ユーザーまたはシステム管理者のみが、コンテンツ管理システム（ＣＭＳ）により特定のＵＲＬアドレスに関連付けられた前記情報コンテンツを動的に修正することを特徴とする請求項１乃至５のいずれか１項記載の装置。
【請求項７】
ＱＲコードのアクティベート、登録および認証の一般的な手順が、
最初にデフォルトでは、先に生成された前記ＱＲコードおよび対応する前記ＵＲＬアドレスと、割り当て可能なセキュリティコードは、どのユーザーに関する情報とも関連づけされておらず、
前記ＱＲコードを読み込むためのソフトウェアを備え、データ通信能力およびインターネット接続を有する電子装置を用いて、前記ＱＲコードをスキャンして、前記ＵＲＬアドレスを復号化して、対応するインターネットブラウザおよび前記コンピューターサーバーシステム上のアドレス指定を行うことを含み、
一旦、前記ＵＲＬアドレスへの前記アドレス指定の要求を受信すると、マッチング手順を用いて、訪問されるのと同じＵＲＬアドレスが、前記コンピューターサーバーシステムによって実際に生成され、割り当てられたことを確認し、
もし前記ＱＲコードが既に割り当てられている場合には、関連付けられている前記ＵＲＬアドレスの前記情報コンテンツが表示され、
一方、もし前記ＱＲコードが未だ割り当てられていない場合、前記ユーザーが、既に登録されているか否かが確認され、そして肯定の場合、その認証および可能なセキュリティコードの書き込みへと進み、
一方、前記ユーザーが登録されていない場合、前記可能なセキュリティーコードの登録および書き込みを実行し、その後、前記アクティベート、登録および認証手順が終了となることを特徴とする請求項１乃至６のいずれか１項記載の装置。
【請求項８】
前記ＵＲＬアドレスが前記コンピューターサーバーシステムの前記データベースに存在する場合、受信ユーザーに前記ＵＲＬアドレスを一義的に割り当てる手順が起動され、前記受信ユーザーにより、前記ＱＲコードに関連付けられた前記可能なセキュリティーコードが書き込まれることを特徴とする請求項７記載の装置。
【請求項９】
受信ユーザーのＱＲコードの割り当ておよび読み込みを提供するシステムであり、
スキャンされた前記ＱＲコードに含まれる前記ＵＲＬアドレスを復号化するためのオンラインシステムを準備し、
前記オンラインシステムは、スキャンされた前記ＱＲコードに含まれる前記ＵＲＬアドレスが、前記データベース中に実際存在するかどうか確認し、
そして、前記ＵＲＬアドレスが存在しない場合、エラー画面が表示され、
そうでなければ受信ユーザーへ前記ＱＲコードの割り当てを制御し、
前記ＱＲコードが既に受信ユーザーに割り当てられている場合、前ＱＲコードに含まれる前記ＵＲＬアドレスに対応する前記情報コンテンツを供給または表示し、
そうでなければ、前記ＱＲコードが割り当てられていないことを認識し、その結果登録が確認され、次に生じ得るユーザー登録ステップか、または登録済みユーザーのため、
前記ユーザーへの前記ＱＲコードの割り当てを続行するためにユーザー認証が行われ、そして前記受信ユーザーは対応する前記可能なセキュリティーコードを書き込むことを特徴とする請求項７項記載の装置。
【請求項１０】
前記供給ユーザーまたは前記システム管理者のみによって修正可能な前記情報コンテンツは、テキストまたはマルチメディアコンテンツを含む前記情報コンテンツの形態であり、
特に、以下の操作
１）テキストメッセージの追加／修正／削除
２）画像の追加／修正／削除
３）動画の追加／修正／削除
４）オーディオの追加／修正／削除
５）上記１〜４の組合せ
の一つ以上が可能なことを特徴とする請求項１乃至９のいずれか１項記載の装置。
【請求項１１】
前記ウェブページに関連付け可能な前記情報コンテンツの性質に、自動学習能力を有するソフトウェアフィルタが使用できることを特徴とする請求項１乃至１０のいずれか１項記載の装置。
【請求項１２】
前記供給ユーザーによって、前記情報コンテンツが編集され、
ＱＲコードリーダーを用いて前記ＱＲコードをスキャンした後に、前記ユーザーの認証がリクエストされ、前記認証により、前記供給ユーザーを前記コンテンツ管理システム（ＣＭＳ）にアクセスさせ、前記ＱＲコードにコード化され、前記ＵＲＬアドレスに存在する情報コンテンツ、テキスト、マルチメディアデータを追加、修正、削除することを特徴とする請求項１乃至１１のいずれか１項記載の装置。
【請求項１３】
編集者、もしくは公認されたサービス供給者、またはシステム管理者によって前記情報コンテンツは編集され、予約された証明によってアクセスが管理された予約領域がオンラインで設けられ、
認証ステップが実行され、それに続いて、コンテンツ管理システム（ＣＭＳ）により前記ＱＲコードに含まれる前記ＵＲＬアドレスに存在する前記マルチメディアデータの修正および削除ステップが実行されることを特徴とする請求項１２記載の装置。
【請求項１４】
前記ＱＲコードリーダーを用いて前記ＱＲコードをスキャンした後、前記ＱＲコードに含まれる前記ＵＲＬアドレスを復号化し、そして、スキャンされたＱＲコードにより参照される前記ＵＲＬアドレスに対応する前記マルチメディアコンテンツを含む前記情報コンテンツが出力に復元されることを特徴とする請求項１２記載の装置。
【請求項１５】
前記供給ユーザーまたは公認されたオペレーターまたは前記システム管理者によって機密データの前記情報コンテンツが読み取りおよび編集し、
ＱＲコードリーダーによりスキャンされた前記ＱＲコードに含まれる前記ＵＲＬアドレスを復号化するオンラインシステムが準備され、
前記オンラインシステムは、リーダーによりスキャンされた前記ＱＲコードに含まれる前記ＵＲＬアドレスが、前記データベースの中に実際に存在するかどうかを確認し、
そして、前記ＵＲＬアドレスが存在しない場合、エラー画面を表示し、
一方、リーダーによりスキャンされた前記ＱＲコードに含まれる前記ＵＲＬアドレスが存在する場合、一旦認証が行われ、サービスにアクセスするユーザーが前記情報コンテンツを編集できるオペレーターであるかどうかを確認し、
前記ユーザーが、標準ユーザーである場合、前記ＵＲＬアドレスの前記マルチメディアコンテンツを含む前記情報コンテンツは、表示のみ行い、
前記ユーザーが、前記公認されたオペレータまたは前記システム管理者である場合、前記情報コンテンツを表示だけでなく、コンテンツ管理システム（ＣＭＳ）を用い編集も可能とすることを特徴とする請求項１乃至１４のいずれか１項記載の装置。
【請求項１６】
インターネット上にＵＲＬアドレスを生成して、ＱＲコードに割り当て、
前記情報コンテンツは、動的であり、データベースに保存可能であり、前記情報コンテンツのＱＲコードおよびアドレスを受信する受信ユーザーではなく、前記情報コンテンツを供給するユーザーまたはシステム管理者のみが、前記コンテンツ管理システム（ＣＭＳ）を使用して、望み通りに修正／編集することができ、そして、前記受信ユーザーは、前記情報コンテンツを変更または統合させることができず、使用しかできず、
前記受信ユーザーは、動的な前記情報コンテンツの遠隔供給、表示および／または提示において、ＱＲコードを読み込んで対応するＵＲＬにアクセスすることを除いては、受動的役割を果たし、
前記受信ユーザーは、前記情報コンテンツの目的または対象だけを表示し、それを変更または修正することができないことを特徴とする請求項１５記載の装置。
【請求項１７】
情報コンテンツを有するＱＲコードを生成することにより、前記情報コンテンツの遠隔供給、表示または提示する装置が、
コンピューターサーバーシステム（１６０）と一つ以上の携帯用の電子テレコミュニケーションデバイス（１７０）と一つ以上のユーザーインターフェース（１９０）とを備え、
１）前記コンピューターサーバーシステム（１６０）は、
生成する一連のＱＲコードの数を定め、
インターネット上にｎ個のＵＲＬアドレスを生成し、
前記ＵＲＬアドレスを生成するステップにおいて、ｍ回繰り返されるサイクルにより、ｍ個の長さの擬似ランダム英数字の文字列を生成し、
前記サイクルは、乱数と前記文字列の長さｍとの割り算の余りを算出し、前記疑似ランダム英数字を見出すインジケータとして使用し、
ＵＲＬアドレスリストに格納されたＵＲＬアドレスと比較することにより、生成された前記ＵＲＬアドレスのそれぞれの一義性を確認し、
生成され、一義性が確認されたｎ個のＵＲＬアドレスをそれそれコード化し、ｎ個のＱＲコードを生成し、
ＵＲＬアドレスが一義的である場合、前記ＵＲＬアドレスリストを含むデータベースに格納され、カウンター変数ｘはｘ＝ｎとなるまで増加され、そして少なくともセキュリティーＵＲＬアドレスの数は、生成される一連のＱＲコードの数ｎに対応し、
一つ以上の情報、テキストまたはマルチメディアを含む前記情報コンテンツの、単一の特定の公認された供給ユーザーに、特定して生成され、一義的なＵＲＬアドレスを割り当て、
特定の公認された前記供給ユーザーまたは一人以上のシステム管理者のみによって、ロードし動的に修正できる形で、情報、テキストまたはマルチメディアコンテンツを含む前記情報コンテンツを利用可能とし、
前記生成され、割り当てられたＵＲＬアドレスは、一人以上の受信ユーザーが、前記情報コンテンツおよび前記供給ユーザーまたはシステム管理者のみが、随時修正する前記情報コンテンツにアクセスするか、またはそれを表示し、
前記各ＱＲコードのための少なくとも一つの一義的なセキュリティーコードが生成され、前記一義的なセキュリティーコードは、前記ＱＲコードとともに、または、前記ＱＲコードとは別に、前記受信ユーザーに、暗号化されずに提供され、前記ＵＲＬアドレスの前記情報コンテンツへのアクセスまたは表示のために、前記受信ユーザーから要求され、
情報、テキストまたはマルチメディアコンテンツを含む前記情報コンテンツを追加、修正または削除するために、前記ＱＲコードを復号化することにより参照される前記ＵＲＬアドレスに対応するウェブページにおいて、前記ＱＲコードの前記受信ユーザーではなく、前記供給ユーザーまたは前記システム管理者のみが、前記コンピューターサーバーシステムへの認証を介することによりアクセス可能な、コンテンツ管理システム（ＣＭＳ）を実施し、前記ＵＲＬアドレスに関連する前記情報コンテンツを修正し、
前記ＵＲＬアドレスに関連する前記ウェブページの前記情報コンテンツを修正するために、与えられたＱＲコードによってコード化されたＵＲＬアドレスに関連付けられた前記情報コンテンツを編集する修正許可は、前記ＱＲコードの前記供給ユーザーのみまたは前記システム管理者のみに割り当てられ、
一方、前記ＱＲコードの前記受信ユーザーは、前記ＵＲＬアドレスに関連付けられた前記ウェブページの前記情報コンテンツを修正することができない
よう構成されており、
２）一つ以上の前記携帯用の電子テレコミュニケーションデバイス（１７０）は、
一人以上の前記受信ユーザーが、光学的にＱＲコードを取得し、コード化されたＵＲＬアドレスを復号化し、
前記受信ユーザーを、コンピューターサーバーシステム（１６０）によって利用可能となる割り当てられた前記ＵＲＬアドレスの前記情報コンテンツに導き、前記情報コンテンツおよび前記供給ユーザーまたは前記システム管理者のみが随時修正する前記情報コンテンツにアクセスするか、またはそれを表示するように
構成され
３）一つ以上の前記ユーザーインターフェース（１９０）は、
コンピューターサーバーシステム（１６０）にアクセスし、前記供給ユーザーまたは前記システム管理者のみによって、前記情報コンテンツがロードされ動的に修正されるように構成された
ことを特徴とする装置。